(57)【要約】【課題】複数のプリンタにおいてそれぞれ有する印刷属性が互いに異なる組み合わせで記憶されているとき、類似する印刷属性がそれぞれのプリンタに存在する場合は、いずれのプリンタを使用しても指定した印刷属性を用いて印刷指示することができる印刷管理装置及び印刷管理プログラムを提供する。【解決手段】プリントサーバ１は、プリンタ２Ａ及び２Ｂが有する印刷属性情報２１ｂを取得する印刷属性情報取得手段１０Ａと、印刷属性情報取得手段１０Ａが取得した印刷属性情報２１ｂのうち、類似する印刷属性情報を検出し、検出された類似する印刷属性情報を関連付けて、関連付けられた印刷属性情報の単位で１つの論理プリンタを割り当てるプリンタ割当手段１０Ｂとを有する。【選択図】図２
2011022908.tif 000002
【特許請求の範囲】
【請求項１】
複数のプリンタのそれぞれが有する複数の印刷属性の情報を前記プリンタに対応付けて取得する取得手段と、
前記取得手段で取得した複数の印刷属性の情報のうち、類似する印刷属性の情報を検出する検出手段と、
前記検出手段で検出された類似する印刷属性の情報を関連付ける関連付け手段と、
前記関連付け手段で関連付けられた印刷属性の情報の単位で１つの論理プリンタを割り当てる割当手段と、
を有する印刷管理装置。
【請求項２】
前記取得手段は、前記複数のプリンタの前記複数の印刷属性の情報のいずれかが変更されたとき、少なくとも前記変更された印刷属性の情報を取得する請求項１に記載の印刷管理装置。
【請求項３】
前記取得手段は、新規のプリンタが接続されたとき、少なくとも前記新規のプリンタが有する複数の印刷属性の情報を取得する請求項１に記載の印刷管理装置。
【請求項４】
前記取得手段は、前記複数のプリンタのいずれかにおいて前記プリンタの使用を許可するための認証が行われたとき、前記複数の印刷属性の情報を取得する請求項１に記載の印刷管理装置。
【請求項５】
コンピュータを
複数のプリンタのそれぞれが有する複数の印刷属性の情報を前記プリンタに対応付けて取得する取得手段、
前記取得手段で取得した複数の印刷属性の情報のうち、類似する印刷属性の情報を検出する検出手段、
前記検出手段で検出された類似する印刷属性の情報を関連付ける関連付け手段、
前記関連付け手段で関連付けられた印刷属性の情報の単位で１つの論理プリンタを割り当てる割当手段として機能させるための印刷管理プログラム。
【発明の詳細な説明】
【技術分野】
【０００１】
本発明は、印刷管理装置及び印刷管理プログラムに関する。
【背景技術】
【０００２】
特許文献１の情報処理装置は、論理プリンタの情報を取得する取得手段と、取得した論理プリンタの印刷属性を利用者が指定した印刷属性と比較して対応する論理プリンタを用いて新規論理プリンタを作成する作成手段とを有し、利用者が指定した印刷属性を有する論理プリンタを作成するものである。
【先行技術文献】
【特許文献】
【０００３】
【特許文献１】特開２００５−１６５３９３号公報
【発明の概要】
【発明が解決しようとする課題】
【０００４】
本発明の目的は、複数のプリンタにおいてそれぞれ有する印刷属性が互いに異なる組み合わせで記憶されているとき、類似する印刷属性がそれぞれのプリンタに存在する場合は、いずれのプリンタを使用しても指定した印刷属性を用いて印刷指示することができる印刷管理装置及び印刷管理プログラムを提供することにある。
【課題を解決するための手段】
【０００５】
［１］複数のプリンタのそれぞれが有する複数の印刷属性の情報を前記プリンタに対応付けて取得する取得手段と、前記取得手段で取得した複数の印刷属性の情報のうち、類似する印刷属性の情報を検出する検出手段と、前記検出手段で検出された類似する印刷属性の情報を関連付ける関連付け手段と、前記関連付け手段で関連付けられた印刷属性の情報の単位で１つの論理プリンタを割り当てる割当手段とを有する印刷管理装置。
【０００６】
［２］前記取得手段は、前記複数のプリンタの前記複数の印刷属性の情報のいずれかが変更されたとき、少なくとも前記変更された印刷属性の情報を取得する前記［１］に記載の印刷管理装置。
【０００７】
［３］前記取得手段は、新規のプリンタが接続されたとき、少なくとも前記新規プリンタが有する複数の印刷属性の情報を取得する前記［１］に記載の印刷管理装置。
【０００８】
［４］前記取得手段は、前記複数のプリンタのいずれかにおいて前記プリンタの使用を許可するための認証が行われたとき、前記複数の印刷属性の情報を取得する請求項１に記載の印刷管理装置。
【０００９】
［５］コンピュータを複数のプリンタのそれぞれが有する複数の印刷属性の情報を前記プリンタに対応付けて取得する取得手段、前記取得手段で取得した複数の印刷属性の情報のうち、類似する印刷属性の情報を検出する検出手段、前記検出手段で検出された類似する印刷属性の情報を関連付ける関連付け手段、前記関連付け手段で関連付けられた印刷属性の情報の単位で１つの論理プリンタを割り当てる割当手段、として機能させるための印刷管理プログラム。
【発明の効果】
【００１０】
請求項１又は５に係る発明によれば、複数のプリンタにおいてそれぞれ有する印刷属性が互いに異なる組み合わせで記憶されているとき、類似する印刷属性がそれぞれのプリンタに存在する場合は、いずれのプリンタを使用しても指定した印刷属性を用いて印刷指示することができる。
【００１１】
請求項２に係る発明によれば、複数のプリンタにおいてそれぞれ有する印刷属性が互いに異なる組み合わせで記憶されており、いずれかの印刷属性が変更されたとき、類似する印刷属性がそれぞれのプリンタに存在する場合は、いずれのプリンタを使用しても指定した印刷属性を用いて印刷指示することができる。
【００１２】
請求項３に係る発明によれば、複数のプリンタにおいてそれぞれ有する印刷属性が互いに異なる組み合わせで記憶されており、さらに新たなプリンタが接続されたとき、類似する印刷属性がそれぞれのプリンタに存在する場合は、いずれのプリンタを使用しても指定した印刷属性を用いて印刷指示することができる。
【００１３】
請求項４に係る発明によれば、複数のプリンタにおいてそれぞれ有する印刷属性が互いに異なる組み合わせで記憶されており、複数のプリンタのいずれかにおいてプリンタを使用するために認証を行ったとき、類似する印刷属性がそれぞれのプリンタに存在する場合は、いずれのプリンタを使用しても指定した印刷属性を用いて印刷指示することができる。
【図面の簡単な説明】
【００１４】
【図１】本発明の第１の実施の形態に係るプリンタ管理システムの構成例を示す概略図である。
【図２】本発明の第１の実施の形態に係るプリントサーバの構成例を示す概略図である。
【図３】本発明の第１の実施の形態に係るプリンタの構成例を示す概略図である。
【図４】本発明の第１の実施の形態に係るプリンタ管理システムの構成例を示す概略図である。
【図５】本発明の第１の実施の形態に係るプリンタ管理システムの動作例を示すフローチャートである。
【図６】本発明の第２の実施の形態に係るプリンタ管理システムの動作例を示すフローチャートである。
【図７】本発明の第３の実施の形態に係るプリンタ管理システムの動作例を示すフローチャートである。
【発明を実施するための形態】
【００１５】
［第１の実施の形態］
（プリンタ管理システムの構成）
図１は、本発明の第１の実施の形態に係るプリンタ管理システムの構成例を示す概略図である。
【００１６】
プリンタ管理システム１００は、端末装置３から受信した印刷情報を指定されたプリンタ２Ａ、２Ｂが有する印刷属性で印刷するようプリンタに指示するプリントサーバ１と、それぞれ異なる複数の印刷属性を有するプリンタ２Ａ及び２Ｂと、印刷情報を生成する端末装置３とを有する。印刷属性は、印刷を実行する際の仕様であり、例えば、用紙サイズ、使用フォント、印刷倍率、片面／両面印刷に加え、ステープラーやＺ折り等のフィニッシャー、Ｎアップ印刷、トレイ選択等の指定の有無を含む。
【００１７】
各機器は、例えば、ＳＮＭＰ（Ｓｉｍｐｌｅ  Ｎｅｔｗｏｒｋ  Ｍａｎａｇｅｍｅｎｔ  Ｐｒｏｔｏｃｏｌ）等のプロトコルで通信し、プリンタ２Ａ及び２Ｂは、ＭＩＢ（Ｍａｎａｇｅｍｅｎｔ  Ｉｎｆｏｒｍａｔｉｏｎ  Ｂａｓｅ）を有し、プリントサーバ１に印刷属性等の情報を含んだＭＩＢを公開することで情報の内容を知らせる。
【００１８】
端末装置３は、ワープロや表計算ソフト、画像編集ソフト等を用い、利用者の所望するプリンタ２Ａ、２Ｂが有する印刷属性をプリントサーバ１に設定された後述する論理プリンタを指定して設定し、さらに利用者を一意に特定できる利用者情報も加えて印刷情報を生成し、前記印刷情報をプリントサーバ１に送信する。プリントサーバ１は、プリンタ２Ａの認証部２２Ａ又はプリンタ２Ｂの２２Ｂにおいて利用者がそれぞれ所有するカード２２０を用いて認証すると、認証が行われたプリンタおいて利用者の所望した印刷属性で印刷するようそのプリンタに対して印刷情報を送信する。
【００１９】
図２は、本発明の第１の実施の形態に係るプリントサーバの構成例を示す概略図である。
【００２０】
プリントサーバ１は、ＣＰＵ（Ｃｅｎｔｒａｌ  Ｐｒｏｃｅｓｓｉｎｇ  Ｕｎｉｔ）、メモリ等から構成され各部を制御するとともに各種のプログラムを実行する制御部１０と、ＨＤＤ（Ｈａｒｄ  Ｄｉｓｋ  Ｄｒｉｖｅ）やフラッシュメモリ等の記憶装置から構成され情報を記憶する記憶部１１と、ＬＡＮ（Ｌｏｃａｌ  Ａｒｅａ  Ｎｅｔｗｏｒｋ）等のネットワークを介してプリンタ２Ａ、２Ｂ及び端末装置３と通信する通信部１３とを有する。
【００２１】
制御部１０は、後述するプリンタ制御プログラム１１Ａを実行することで、印刷属性情報取得手段１０Ａと、プリンタ割当手段１０Ｂと、プリンタ認証手段１０Ｃと、印刷情報受付手段１０Ｄと、印刷情報送信手段１０Ｅとを動作させる。
【００２２】
印刷属性情報取得手段１０Ａは、プリンタ２Ａ及び２Ｂから印刷属性情報を取得する。プリンタ割当手段１０Ｂは、後述する論理プリンタ情報１１Ｂに対してプリンタ２Ａ及び２Ｂそれぞれが有する印刷属性情報の割り当てをする。プリンタ認証手段１０Ｃは、プリンタ２Ａ及び２Ｂの認証部２２Ａ及び２２Ｂにてカード２２０で認証が実行されたとき、そのプリンタ２Ａ及び２Ｂの使用及び使用条件等を認証する。印刷情報受付手段１０Ｄは、端末装置３からの印刷情報の受付をする。印刷情報送信手段１０Ｅは、プリンタ２Ａ又は２Ｂに対して印刷情報を送信する。
【００２３】
記憶部１１は、制御部１０を上述した各手段として動作させるプリンタ制御プログラム１１Ａと、それぞれ異なる印刷属性情報が設定された仮想的なプリンタを複数有する論理プリンタ情報１１Ｂと、プリンタ２Ａ及び２Ｂがそれぞれ有する印刷属性情報を記憶し、それぞれに関連付けられるインターフェースとしての物理プリンタ情報１１Ｃと、論理プリンタ情報１１Ｂに対する物理プリンタ情報１１Ｃの割り当てを示すプリンタ割当情報１１Ｄと、利用者ごとにプリンタ２Ａ及び２Ｂの使用及び使用条件等の情報を記憶しプリンタ認証手段１０Ｃが使用する認証情報１１Ｅと、論理プリンタが印刷情報を受け付けて割り当てられた物理プリンタに印刷情報を送信するまでその印刷情報を一時的に記憶するキュー１１Ｆとを記憶する。なお、認証はプリンタ２Ａ及び２Ｂにそれぞれ認証情報を記憶させて行うこととしても良く、ネットワークを介して図示しない認証サーバに記憶させて行っても良い。
【００２４】
図３は、本発明の第１の実施の形態に係るプリンタの構成例を示す概略図である。なお、プリンタ２Ａについて説明しているが、プリンタ２Ｂについても同様の構成を有するため、説明を省略する。
【００２５】
プリンタ２Ａは、ＣＰＵ、メモリ等から構成され各部を制御するとともに各種のプログラムを実行する制御部２０Ａと、ＨＤＤやフラッシュメモリ等の記憶装置から構成され情報を記憶する記憶部２１Ａと、利用者の認証情報を入力する認証部２２Ａと、利用者の印刷ジョブの表示、選択やプリンタの設定などを行う操作部２５Ａと、用紙を収容するトレイや用紙に対して印刷を実行する機構等を備えた印刷機能部２３Ａと、ＬＡＮ等のネットワークを介してプリントサーバ１及び端末装置３と通信する通信部２４Ａとを有する。
【００２６】
制御部２０Ａは、後述するプリンタ動作プログラム２１ａを実行することで、プリンタ認証手段２０ａと、印刷属性情報送信手段２０ｂと、印刷情報受付手段２０ｃと、印刷実行手段２０ｄとを動作させ、さらに後述する印刷属性情報管理プログラム２１ｃを実行することで、印刷属性情報送信手段２０ｂと、印刷属性情報設定手段２０ｅとを動作させる。
【００２７】
プリンタ認証手段２０ａは、認証部２２Ａを介してカード２２０の認証をする。印刷属性情報設定手段２０ｅは、利用者または管理者などが操作部２５Ａを介して後述する記憶部２１Ａに記憶される印刷属性情報２１ｂの設定を行う手段である。印刷属性情報送信手段２０ｂは、プリントサーバ１の要求に応じて、後述する印刷属性情報２１ｂを送信する。印刷情報受付手段２０ｃは、プリントサーバ１から印刷情報を受信し、操作部２５Ａに入力される操作に応じて印刷ジョブのリスト表示を行い、リスト表示において選択された印刷ジョブを印刷実行手段２０ｄへ印刷情報を引き渡してもよいし、受信した印刷ジョブの印刷情報をすべて印刷実行手段２０ｄへ引き渡してもよい。印刷実行手段２０ｄは、印刷情報受付手段２０ｃが受け付けた印刷情報に基づいて印刷機能部２３Ａで印刷を実行する。
【００２８】
記憶部２１Ａは、制御部２０Ａを上述した各手段として動作させるプリンタ動作プログラム２１ａと、複数の印刷属性を有する印刷属性情報２１ｂとを記憶する。
【００２９】
図４は、本発明の第１の実施の形態に係るプリンタ管理システムの構成例を示す概略図である。
【００３０】
プリントサーバ１は、論理プリンタ情報１１Ｂに含まれる論理プリンタ０１〜論理プリンタＮと、キュー１１Ｆに含まれる論理プリンタと同数のキュー０１〜キューＮと、プリンタ２Ａ及びプリンタ２Ｂの印刷属性Ａ０１〜ＡＫ及び印刷属性Ｂ０１〜ＢＫにそれぞれ対応した物理プリンタＡ０１〜ＡＭ及び物理プリンタＢ０１〜ＢＭとを有する。
【００３１】
論理プリンタ０１〜Ｎと、物理プリンタＡ０１〜ＡＭ及び物理プリンタＢ０１〜ＢＭの割り当ては、プリンタ割当手段１０Ｂによって生成されたプリンタ割当情報１１Ｄに基づいて構成されるものである。論理プリンタ０１は、例えば、プリンタ２Ａの印刷属性Ａ０１及びプリンタ２Ｂの印刷属性Ｂ０１と関連づけられている。つまり、印刷属性Ａ０１及びＢ０１は同一の印刷属性を有している。
【００３２】
（動作）
以下に、本発明の一実施の形態におけるプリンタ管理システムの動作を各図を参照しつつ説明する。
【００３３】
まず、プリンタ２Ａ及び２Ｂを管理する利用者によって、例えば、プリンタ２Ａの印刷属性情報２１ｂの変更を行うために操作部２５Ａを操作する。操作を受けたプリンタ２Ａの印刷属性情報設定手段２０ｅは、記憶部２１Ａに記憶される印刷属性情報２１ｂの設定を操作部２５Ａに入力された操作内容に応じて変更するとともに、変更が完了すると印刷属性情報２１ｂが変更された旨をＭＩＢ情報としてプリントサーバ１に送信する。
【００３４】
以下において、プリントサーバ１がプリンタ２ＡからＭＩＢ情報を受信してからの動作を説明する。
【００３５】
図５は、本発明の第１の実施の形態に係るプリンタ管理システムの動作例を示すフローチャートである。
【００３６】
まず、印刷属性情報取得手段１０Ａは、プリンタ２Ａ及び２Ｂを監視し、ＭＩＢ情報の受信によって印刷属性情報２１ｂの更新を検出すると（Ｓ１１；Ｙｅｓ）、印刷属性情報取得手段１０Ａは、プリントサーバ１に接続された更新された印刷属性情報２１ｂを有するプリンタ２Ａから印刷属性情報２１ｂの更新された情報を取得する（Ｓ１２）。
【００３７】
次に、プリンタ割当手段１０Ｂは、取得した印刷属性の情報を物理プリンタ情報１１Ｃの対応する物理プリンタに対応付けて記憶し（Ｓ１３）、異なるプリンタ間において各物理プリンタの有する印刷属性を比較し、印刷属性が一致する物理プリンタどうしを、論理プリンタに対応づけられたキューに割り当てる（Ｓ１４）。
【００３８】
なお、プリンタ割当手段１０Ｂは、ステップＳ１３において、プリンタ２Ａ及び２Ｂのそれぞれが有する複数の印刷属性Ａ０１〜ＡＫ及びＢ０１〜ＢＫの情報のうち、類似する印刷属性の情報を検出する検出手段と、検出手段で検出された類似する印刷属性の情報どうしを関連付ける関連付け手段と、関連付け手段で関連付けられた印刷属性の情報の単位で１つの論理プリンタを割り当てる割り当て手段とを実行することで動作する。
【００３９】
また、上記した検出手段は、異なるプリンタ間で同一の印刷属性の情報を検出するが、完全に同一でなくとも印刷属性に含まれる複数の項目に予め優先順位を定めて優先度の高い項目が一致する印刷属性どうしを類似する印刷属性の情報として検出してもよい。また、印刷属性どうしの一致する項目の数が一定以上のものを類似する印刷属性の情報として検出してもよい。
【００４０】
［第２の実施の形態］
第２の実施の形態は、プリンタ割当手段１０Ｂが論理プリンタ情報１１Ｂに物理プリンタ情報１１Ｃを割り当てるタイミングを変更したものである。
【００４１】
まず、管理者によって、新たなプリンタ、例えば、図示しないプリンタ２Ｃをプリンタサーバ１に追加するために、プリンタ２Ｃの操作部２５Ｃを操作する。操作を受けたプリンタ２Ｃの印刷属性情報送信手段２０ｂは、操作部２５Ａに入力された操作内容に応じて、プリントサーバ１と通信し、記憶部２１Ｃに記憶される印刷属性情報２１ｂをプリントサーバ１に送信する。
【００４２】
以下において、プリントサーバ１がプリンタ２Ｃから印刷属性情報２１ｂを受信してからの動作を説明する。
【００４３】
図６は、本発明の第２の実施の形態に係るプリンタ管理システムの動作例を示すフローチャートである。
【００４４】
まず、印刷属性情報取得手段１０Ａは、新たに接続されたプリンタと通信し、印刷属性情報２１ｂを受信することで、新たなプリンタの接続を検出すると（Ｓ２１；Ｙｅｓ）、印刷属性情報取得手段１０Ａは、プリントサーバ１に新たに接続されたプリンタ２Ｃの印刷属性情報２１ｂを取得する（Ｓ２２）。
【００４５】
次に、プリンタ割当手段１０Ｂは、取得した印刷属性情報２１ｂに基づいて物理プリンタ情報１１Ｃに対応する物理プリンタを作成し（Ｓ２３）、当該物理プリンタに対応付けて、それぞれの印刷属性の情報を記憶し（Ｓ２４）、異なるプリンタ間において印刷属性が一致する物理プリンタどうしを、論理プリンタに対応づけられたキューに割り当てる（Ｓ２５）。新たなプリンタ２Ｃの印刷属性情報２１ｂに設定された印刷属性の情報に一致する物理プリンタが存在しない場合は、新たに論理プリンタ、キューを作成して物理プリンタを割り当てる。
【００４６】
［第３の実施の形態］
第３の実施の形態は、プリンタ割当手段１０Ｂが論理プリンタ情報１１Ｂに物理プリンタ情報１１Ｃを割り当てるタイミングを変更したものである。
【００４７】
まず、利用者は、例えば、端末装置３において任意のアプリケーション等で文書情報を作成し、その文書情報の印刷属性を指定して印刷を実行する。端末装置３は、印刷の実行に伴い、印刷属性の指定を含む印刷情報を生成し、プリントサーバ１に送信する。
【００４８】
次に、印刷情報受付手段は、受け付けた印刷情報に含まれる印刷属性と一致する印刷属性が割り当てられた論理プリンタのキューに印刷情報を一時的に保存する。
【００４９】
次に、利用者がカード２２０を用いて、印刷を所望するプリンタにおいて、例えば、プリンタ２Ａにおいてカード２２０を用いて認証作業を行い、プリンタ２Ａのプリンタ認証手段２０ａから認証要求が送信されると、プリントサーバ１のプリンタ認証手段１０Ｃは、認証可能か否かを判断し、認証可能なとき、認証完了の情報をプリンタ２Ａに送信する。
【００５０】
以下の説明において、プリントサーバ１がプリンタ２Ａへ認証完了の情報を送信してからの動作を説明する。
【００５１】
図７は、本発明の第３の実施の形態に係るプリンタ管理システムの動作例を示すフローチャートである。
【００５２】
まず、プリントサーバ１のプリンタ認証手段１０Ｃは、プリンタ２Ａにおいて認証完了の情報をプリンタ２Ａへ送信すると（Ｓ３１；Ｙｅｓ）、印刷属性情報取得手段１０Ａは、プリントサーバ１に認証完了の情報を送信したプリンタ２Ａの印刷属性情報２１ｂを取得する（Ｓ３２）。
【００５３】
次に、プリンタ割当手段１０Ｂは、取得した印刷属性の情報を物理プリンタ情報１１Ｃの対応する物理プリンタに対応付けて記憶し（Ｓ３３）、異なるプリンタ間において印刷属性が一致する物理プリンタどうしを、論理プリンタに対応づけられたキューに割り当てる（Ｓ３４）。
【００５４】
以上の動作の後、プリンタ２Ａの印刷情報送信手段１０Ｅは、認証されたプリンタの該当する印刷属性に関連づけられた物理プリンタを介してキューから印刷情報を送信する。
【００５５】
［他の実施の形態］
なお、本発明は、上記実施の形態に限定されず、本発明の趣旨を逸脱しない範囲で種々な変形が可能である。例えば、図５のステップＳ１２〜Ｓ１４は、予め定めた間隔、例えば、１日おきに実行し、プリントサーバ１に接続される全てのプリンタの印刷属性情報２１ｂを取得して実施してもよい。
【００５６】
また、上記実施の形態で使用される印刷属性情報取得手段１０Ａと、プリンタ割当手段１０Ｂと、プリンタ認証手段１０Ｃと、印刷情報受付手段１０Ｄと、印刷情報送信手段１０Ｅと、プリンタ認証手段２０ａと、印刷属性情報送信手段２０ｂと、印刷情報受付手段２０ｃと、印刷実行手段２０ｄと、印刷属性情報設定手段２０ｅとは、ＣＤ−ＲＯＭ等の記憶媒体から装置内の記憶部に読み込んでも良く、インターネット等のネットワークに接続されているサーバ装置等から装置内の記憶部にダウンロードしてもよい。また、上記実施の形態で使用される手段の一部または全部をＡＳＩＣ等のハードウェアによって実現してもよい。
【符号の説明】
【００５７】
１…プリントサーバ、２Ａ…プリンタ、２Ｂ…プリンタ、３…端末装置、１０…制御部、１０Ａ…印刷属性情報取得手段、１０Ｂ…プリンタ割当手段、１０Ｃ…プリンタ認証手段、１０Ｄ…印刷情報受付手段、１０Ｅ…印刷情報送信手段、１１…記憶部、１１Ａ…プリンタ制御プログラム、１１Ｂ…論理プリンタ情報、１１Ｃ…物理プリンタ情報、１１Ｄ…プリンタ割当情報、１１Ｅ…認証情報、１１Ｆ…キュー、１３…通信部、２０Ａ…制御部、２０ａ…プリンタ認証手段、２０ｂ…印刷属性情報送信手段、２０ｃ…印刷情報受付手段、２０ｄ…印刷実行手段、２０ｅ…印刷属性情報設定手段、２１Ａ…記憶部、２１ａ…プリンタ動作プログラム、２１ｂ…印刷属性情報、２２Ａ…認証部、２３Ａ…印刷機能部、２４Ａ…通信部、２５Ａ…操作部、１００…プリンタ管理システム、１００…プリントサーバ、２２０…カード
【図１】
2011022908.tif 000003
【図２】
2011022908.tif 000004
【図３】
2011022908.tif 000005
【図４】
2011022908.tif 000006
【図５】
2011022908.tif 000007
【図６】
2011022908.tif 000008
【図７】
2011022908.tif 000009